(57)【要約】【課題】形状等がシンプルであって、容易に製造することができる密封容器を提供する。【解決手段】上方開口状容器本体１と、容器本体１に着脱自在な蓋２とを備える密封容器であって、容器本体１が、開口部内面３に上方拡大状テーパ面４を有する。蓋２が、蓋本体５と、蓋本体５の外周縁部６に取着される環状シール部材７とを、備える。蓋本体５が、外周縁部６に形成された環状水平溝と、水平溝よりもラジアル外方の上部に設けられた水平面状逃げ阻止面部とを有する。シール部材７が、水平溝に嵌着される水平状嵌着片部10と、嵌着片部10に連設されたラジアル外方上傾状のシール舌片部11とを有する。シール舌片部11が、閉蓋状態でテーパ面４と圧接するラジアル力受け面と、上記嵌着された状態で逃げ阻止面部と常時圧接するアキシャル力受け面を、先端に有する。【選択図】図１
2017186042.tif 000002
【特許請求の範囲】
【請求項１】
上方開口状容器本体（１）と、該容器本体（１）に着脱自在な蓋（２）とを備える密封容器であって、
上記容器本体（１）が、開口部内面（３）に上方拡大状テーパ面（４）を有し、
上記蓋（２）が、蓋本体（５）と、蓋本体（５）の外周縁部（６）に取着される環状シール部材（７）とを、備え、
上記蓋本体（５）が、外周縁部（６）に形成された環状水平溝（８）と、該水平溝（８）よりもラジアル外方の上部に設けられた水平面状逃げ阻止面部（９）とを有し、かつ、上記シール部材（７）が、上記水平溝（８）に嵌着される水平状嵌着片部（10）と、該嵌着片部（10）に連設されたラジアル外方上傾状のシール舌片部（11）とを有し、
さらに、上記シール舌片部（11）が、閉蓋状態で上記テーパ面（４）と圧接するラジアル力受け面（13）と、上記嵌着された状態で上記逃げ阻止面部（９）と常時圧接するアキシャル力受け面（14）を、先端（15）に有することを特徴とする密封容器。
【請求項２】
上記蓋本体（５）が、上記蓋（２）を傾斜状態で開くための取外し用持上突片部（16）を、外周縁部（６）の一部に有する請求項１記載の密封容器。
【請求項３】
上記テーパ面（４）の勾配角度（θ）を、 0.1°〜６°に設定した請求項１又は２記載の密封容器。
【発明の詳細な説明】
【技術分野】
【０００１】
本発明は、密封容器に関する。
【背景技術】
【０００２】
従来、密封性の高い密封容器として、蓋にボタンを設け、ボタンを押すことによりシールが拡張され、蓋と容器の間を密封する密封容器がある（例えば、特許文献１参照）。
【０００３】
しかし、構造が複雑で部品点数も多いので、製造に手間がかかるとともに、高価になるという欠点があった。
【先行技術文献】
【特許文献】
【０００４】
【特許文献１】特表２００９−５３２２８３号公報
【発明の概要】
【発明が解決しようとする課題】
【０００５】
解決しようとする課題は、構造が複雑で部品点数も多いので、製造に手間がかかるとともに、高価になる点である。また、洗浄を行うことが面倒である点である。
【課題を解決するための手段】
【０００６】
そこで、本発明に係る密封容器は、上方開口状容器本体と、該容器本体に着脱自在な蓋とを備える密封容器であって、上記容器本体が、開口部内面に上方拡大状テーパ面を有し、上記蓋が、蓋本体と、蓋本体の外周縁部に取着される環状シール部材とを、備え、上記蓋本体が、外周縁部に形成された環状水平溝と、該水平溝よりもラジアル外方の上部に設けられた水平面状逃げ阻止面部とを有し、かつ、上記シール部材が、上記水平溝に嵌着される水平状嵌着片部と、該嵌着片部に連設されたラジアル外方上傾状のシール舌片部とを有し、さらに、上記シール舌片部が、閉蓋状態で上記テーパ面と圧接するラジアル力受け面と、上記嵌着された状態で上記逃げ阻止面部と常時圧接するアキシャル力受け面を、先端に有するものである。
【０００７】
また、上記蓋本体が、上記蓋を傾斜状態で開くための取外し用持上突片部を、外周縁部の一部に有するものである。
また、上記テーパ面の勾配角度を、 0.1°〜６°に設定したものである。
【発明の効果】
【０００８】
本発明の密封容器によれば、形状、構造がシンプルであって、部品点数が少なく、洗浄も簡単にでき、かつ、容易に製造することができる。そして、安価に製造することができる。また、開閉操作を容易かつ迅速に行うことができる。さらに、密封性が良好である。
【図面の簡単な説明】
【０００９】
【図１】本発明の実施の一形態を示す断面正面図である。
【図２】要部拡大断面分解図である。
【図３】要部拡大断面図である。
【図４】要部拡大断面図である。
【図５】要部拡大断面図である。
【図６】平面図である。
【発明を実施するための形態】
【００１０】
以下、図示の実施の形態に基づいて本発明を詳説する。
図１〜図６は、本発明の実施の一形態を示す。この密封容器は、食品や飲料の保存に用いられる。保存される食品としては、例えば、ジャム、ご飯、おかず、乾物等が挙げられる。
【００１１】
上方開口状容器本体１と、容器本体１に着脱自在な蓋２とを備える。容器本体１及び蓋２は、例えば、樹脂から成る。容器本体１は、透明な樹脂から成るのが好ましい。容器本体１が、開口部内面３に上方拡大状テーパ面４を有する。
【００１２】
テーパ面４の勾配角度θを、 0.1°〜６°、好ましくは、 0.5°〜５°さらに望ましくは、１°〜３°に設定する。勾配角度θがこの範囲にある場合、容易に蓋２を閉めることができるとともに、高い密封力を得ることができる。勾配角度θが１°未満の場合、密封力が弱くなる虞れがある。勾配角度θが３°を超える場合、蓋２を閉める際、急激に力を加える必要が生じる。
【００１３】
蓋２が、蓋本体５と、蓋本体５の外周縁部６に取着される環状シール部材７とを、備える。蓋本体５が、外周縁部６に形成された環状水平溝８と、水平溝８よりもラジアル外方の上部に設けられた水平面状逃げ阻止面部９とを有する。シール部材７が、水平溝８に嵌着される水平状嵌着片部10と、嵌着片部10に連設されたラジアル外方上傾状のシール舌片部11とを有する。
【００１４】
図２、図３に示すように、自由状態で、シール部材７の上下寸法Ａを、水平溝８の底面12と逃げ阻止面部９との上下距離寸法Ｂより大きく設定する。この場合、蓋本体５とシール部材７との嵌着状態（組立て状態とも言う）に於て、シール部材７のシール舌片部11は、図３の矢印Ｙに示すように、上部が外方へ傾く方向へ弾性変形している。従って、蓋本体５とシール部材７との組立て状態に於て、常にシール部材７が蓋本体５を弾発的に押圧している。
【００１５】
シール舌片部11が、閉蓋状態（図１、図５参照）でテーパ面４と圧接するラジアル力受け面13と、逃げ阻止面部９と常時圧接するアキシャル力受け面14を、先端15に有する。
【００１６】
図１、図６に示すように、蓋本体５が、蓋２を傾斜状態で開くための取外し用持上突片部16を、外周縁部６の一部に有する。具体的には、蓋２の長辺17の中央部に、取外し用持上突片部16を有する。この場合、蓋２を開く際、力を加え易く、容易に蓋２を開くことができる。また、取外し用持上突片部16を外周縁部６の一部に設けることで、蓋２を傾斜状態として開くことを使用者に示唆することもできる。
【００１７】
次に、蓋２の開閉について説明する。蓋２を開くには、図１に示すように、取外し用持上突片部16を上方へ持ち上げて、図１の２点鎖線に示すように、蓋２を傾斜状態で開く。図３に示すように、蓋２は、水平溝８に嵌着片部10を嵌着させて、かつ、アキシャル力受け面14と逃げ阻止面部９とを圧接させた状態で、蓋本体５とシール部材７とが、組立てられている。図３の２点鎖線は、自由状態のシール部材７の形状を示している。
【００１８】
図４に示すように、蓋２を閉じ始めると、シール部材７は、テーパ面４によって圧縮変形する。このとき、シール部材７からテーパ面４に対して拡径方向の弾発力（密着力）が生じるとともに、テーパ面４からシール部材７に対してラジアル方向の反力（ラジアル力）Ｆ1 が生じる。また、逃げ阻止面部９がないと、シール部材７が上方へ逃げてしまうが、逃げ阻止面部９があるので、シール部材７が逃げ阻止面部９にて逃げを阻止され、シール部材７から逃げ阻止面部９に対して弾発力が生じるとともに、逃げ阻止面部９からシール部材７に対してアキシャル方向の反力（アキシャル力）Ｆ2 が生じる。逃げ阻止面部９によってシール部材７が逃げを阻止されるので、シール部材７からテーパ面４への弾発力が大きくなる。（つまり、図４のラジアル力Ｆ1 が十分に大きい。）
【００１９】
さらに蓋２を閉じると、テーパ面４によるシール部材７の圧縮変形量が大きくなるので、シール部材７がテーパ面４を押圧する弾発力が大きくなるとともに、テーパ面４からシール部材７に対してはたらく反力（ラジアル力）Ｆ1 も大きくなる。図４と図５に於て、水平方向寸法Ｄ1 がＤ2 まで減少して、上記シール部材７は（Ｄ1 −Ｄ2 ）分だけ（半径について）圧縮する。このように、テーパ面４によってシール部材７の圧縮変形量が増加して反力Ｆ1 も大きくなる。このとき、シール部材７が逃げ阻止面部９を押圧する弾発力も大きくなるとともに、逃げ阻止面部９からシール部材７に対してはたらくアキシャル力Ｆ2 も大きくなる。そして、図５は、蓋２を完全に閉じた状態（閉蓋状態）を示す。このとき、ラジアル力Ｆ1 、アキシャル力Ｆ2 は最大となり、高い密封力が得られる。
自由状態で断面が水平方向一文字状の（従来から用いられてきた）シール部材と比較すると、従来のシール部材では、 360°全周に均等に弾性変形せず、周方向の一部位が、十分に、弾発的に、容器本体の内面に圧接しない場合があり、密封不十分となることがあったが、本発明では、 360°全周にわたって均等に圧接し、高い密封性を発揮する。
なお、蓋２を容器本体１から離間させた状態（図３参照）で、シール部材７の嵌着片部10と蓋本体５の水平溝８との間に小さな間隙（例えば間隙寸法は自由状態のシール部材７の上下寸法の 1.5％〜 2.5％）が形成されるように設定するも好ましい。
【００２０】
本発明は、設計変更可能であって、例えば、全体形状が平面視円形であるも良い。
【００２１】
以上のように、本発明は、上方開口状容器本体１と、該容器本体１に着脱自在な蓋２とを備える密封容器であって、上記容器本体１が、開口部内面３に上方拡大状テーパ面４を有し、上記蓋２が、蓋本体５と、蓋本体５の外周縁部６に取着される環状シール部材７とを、備え、上記蓋本体５が、外周縁部６に形成された環状水平溝８と、該水平溝８よりもラジアル外方の上部に設けられた水平面状逃げ阻止面部９とを有し、かつ、上記シール部材７が、上記水平溝８に嵌着される水平状嵌着片部10と、該嵌着片部10に連設されたラジアル外方上傾状のシール舌片部11とを有し、さらに、上記シール舌片部11が、閉蓋状態で上記テーパ面４と圧接するラジアル力受け面13と、上記嵌着された状態で上記逃げ阻止面部９と常時圧接するアキシャル力受け面14を、先端15に有するので、形状、構造がシンプルであって、部品点数が少なく、洗浄も簡単にでき、かつ、容易かつ安価に製造することができる。特に、 360°全周にわたって均等にテーパ面４に圧接して、全体の密封性が確保される。また、開閉操作を容易かつ迅速に行うことができる。さらに、密封性が良好である。
【００２２】
また、上記蓋本体５が、上記蓋２を傾斜状態で開くための取外し用持上突片部16を、外周縁部６の一部に有するので、強力な密封力がはたらいている場合でも、テーパ面４とシール部材７との密封を解除して、容易に蓋２を傾斜状態で開くことができる。また、取外し用持上突片部16を外周縁部６の一部に設けることで、蓋２を傾斜状態として開くことを使用者に示唆することもできる。
また、上記テーパ面４の勾配角度θを、 0.1°〜６°に設定したので、容易に蓋２を閉めることができるとともに、高い密封力を得ることができる。
【符号の説明】
【００２３】
１  容器本体
２  蓋
３  開口部内面
４  テーパ面
５  蓋本体
６  外周縁部
７  シール部材
８  水平溝
９  逃げ阻止面部
10  嵌着片部
11  シール舌片部
13  ラジアル力受け面
14  アキシャル力受け面
15  先端
16  取外し用持上突片部
θ  勾配角度
【図１】
2017186042.tif 000003
【図２】
2017186042.tif 000004
【図３】
2017186042.tif 000005
【図４】
2017186042.tif 000006
【図５】
2017186042.tif 000007
【図６】
2017186042.tif 000008
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
上方開口状容器本体（１）と、該容器本体（１）に着脱自在な蓋（２）とを備える密封容器であって、
上記容器本体（１）が、開口部内面（３）に上方拡大状テーパ面（４）を有し、
上記蓋（２）が、蓋本体（５）と、蓋本体（５）の外周縁部（６）に取着される環状シール部材（７）とを、備え、
上記蓋本体（５）が、外周縁部（６）に形成された環状水平溝（８）と、該水平溝（８）よりもラジアル外方の上部に設けられた水平面状逃げ阻止面部（９）とを、一体に有し、
かつ、上記シール部材（７）が、上記水平溝（８）に嵌着される水平状嵌着片部（10）と、該嵌着片部（10）に連設されたラジアル外方上傾状のシール舌片部（11）とから成る、横断面折曲板片状であって、
さらに、上記シール舌片部（11）が、ラジアル力受け面（13）とアキシャル力受け面（14）を、横断面直交状として、先端（15）に有し、
上記ラジアル力受け面（13）が、半閉蓋状態と閉蓋状態で上記テーパ面（４）と圧接するとともに、上記アキシャル力受け面（14）が、開蓋状態と半閉蓋状態と閉蓋状態のいずれに於ても上記逃げ阻止面部（９）と常時圧接し、半閉蓋状態から閉蓋状態にかけて上記シール部材（７）が上方へ逃げるのを上記逃げ阻止面部（９）にて阻止されつつ上記テーパ面（４）に次第に高い圧接力にて押圧するように構成したことを特徴とする密封容器。
【請求項２】
上記蓋本体（５）が、上記蓋（２）を傾斜状態で開くための取外し用持上突片部（16）を、外周縁部（６）の一部に有する請求項１記載の密封容器。
【請求項３】
上記テーパ面（４）の勾配角度（θ）を、 0.1°〜６°に設定した請求項１又は２記載の密封容器。
【手続補正２】
【補正対象書類名】明細書
【補正対象項目名】全文
【補正方法】変更
【補正の内容】
【発明の詳細な説明】
【技術分野】
【０００１】
本発明は、密封容器に関する。
【背景技術】
【０００２】
従来、密封性の高い密封容器として、蓋にボタンを設け、ボタンを押すことによりシールが拡張され、蓋と容器の間を密封する密封容器がある（例えば、特許文献１参照）。
【０００３】
しかし、構造が複雑で部品点数も多いので、製造に手間がかかるとともに、高価になるという欠点があった。
【先行技術文献】
【特許文献】
【０００４】
【特許文献１】特表２００９−５３２２８３号公報
【発明の概要】
【発明が解決しようとする課題】
【０００５】
解決しようとする課題は、構造が複雑で部品点数も多いので、製造に手間がかかるとともに、高価になる点である。また、洗浄を行うことが面倒である点である。
【課題を解決するための手段】
【０００６】
そこで、本発明に係る密封容器は、上方開口状容器本体と、該容器本体に着脱自在な蓋とを備える密封容器であって、上記容器本体が、開口部内面に上方拡大状テーパ面を有し、上記蓋が、蓋本体と、蓋本体の外周縁部に取着される環状シール部材とを、備え、上記蓋本体が、外周縁部に形成された環状水平溝と、該水平溝よりもラジアル外方の上部に設けられた水平面状逃げ阻止面部とを、一体に有し、かつ、上記シール部材が、上記水平溝に嵌着される水平状嵌着片部と、該嵌着片部に連設されたラジアル外方上傾状のシール舌片部とから成る、横断面折曲板片状であって、さらに、上記シール舌片部が、ラジアル力受け面とアキシャル力受け面を、横断面直交状として、先端に有し、上記ラジアル力受け面が、半閉蓋状態と閉蓋状態で上記テーパ面と圧接するとともに、上記アキシャル力受け面が、開蓋状態と半閉蓋状態と閉蓋状態のいずれに於ても上記逃げ阻止面部と常時圧接し、半閉蓋状態から閉蓋状態にかけて上記シール部材が上方へ逃げるのを上記逃げ阻止面部にて阻止されつつ上記テーパ面に次第に高い圧接力にて押圧するように構成したものである。
【０００７】
また、上記蓋本体が、上記蓋を傾斜状態で開くための取外し用持上突片部を、外周縁部の一部に有するものである。
また、上記テーパ面の勾配角度を、 0.1°〜６°に設定したものである。
【発明の効果】
【０００８】
本発明の密封容器によれば、形状、構造がシンプルであって、部品点数が少なく、洗浄も簡単にでき、かつ、容易に製造することができる。そして、安価に製造することができる。また、開閉操作を容易かつ迅速に行うことができる。さらに、密封性が良好である。
【図面の簡単な説明】
【０００９】
【図１】本発明の実施の一形態を示す断面正面図である。
【図２】要部拡大断面分解図である。
【図３】要部拡大断面図である。
【図４】要部拡大断面図である。
【図５】要部拡大断面図である。
【図６】平面図である。
【発明を実施するための形態】
【００１０】
以下、図示の実施の形態に基づいて本発明を詳説する。
図１〜図６は、本発明の実施の一形態を示す。この密封容器は、食品や飲料の保存に用いられる。保存される食品としては、例えば、ジャム、ご飯、おかず、乾物等が挙げられる。
【００１１】
上方開口状容器本体１と、容器本体１に着脱自在な蓋２とを備える。容器本体１及び蓋２は、例えば、樹脂から成る。容器本体１は、透明な樹脂から成るのが好ましい。容器本体１が、開口部内面３に上方拡大状テーパ面４を有する。
【００１２】
テーパ面４の勾配角度θを、 0.1°〜６°、好ましくは、 0.5°〜５°さらに望ましくは、１°〜３°に設定する。勾配角度θがこの範囲にある場合、容易に蓋２を閉めることができるとともに、高い密封力を得ることができる。勾配角度θが１°未満の場合、密封力が弱くなる虞れがある。勾配角度θが３°を超える場合、蓋２を閉める際、急激に力を加える必要が生じる。
【００１３】
蓋２が、蓋本体５と、蓋本体５の外周縁部６に取着される環状シール部材７とを、備える。蓋本体５が、外周縁部６に形成された環状水平溝８と、水平溝８よりもラジアル外方の上部に設けられた水平面状逃げ阻止面部９とを有する。シール部材７が、水平溝８に嵌着される水平状嵌着片部10と、嵌着片部10に連設されたラジアル外方上傾状のシール舌片部11とを有する。
【００１４】
図２、図３に示すように、自由状態で、シール部材７の上下寸法Ａを、水平溝８の底面12と逃げ阻止面部９との上下距離寸法Ｂより大きく設定する。この場合、蓋本体５とシール部材７との嵌着状態（組立て状態とも言う）に於て、シール部材７のシール舌片部11は、図３の矢印Ｙに示すように、上部が外方へ傾く方向へ弾性変形している。従って、蓋本体５とシール部材７との組立て状態に於て、常にシール部材７が蓋本体５を弾発的に押圧している。
【００１５】
シール舌片部11が、閉蓋状態（図１、図５参照）でテーパ面４と圧接するラジアル力受け面13と、逃げ阻止面部９と常時圧接するアキシャル力受け面14を、先端15に有する。
【００１６】
図１、図６に示すように、蓋本体５が、蓋２を傾斜状態で開くための取外し用持上突片部16を、外周縁部６の一部に有する。具体的には、蓋２の長辺17の中央部に、取外し用持上突片部16を有する。この場合、蓋２を開く際、力を加え易く、容易に蓋２を開くことができる。また、取外し用持上突片部16を外周縁部６の一部に設けることで、蓋２を傾斜状態として開くことを使用者に示唆することもできる。
【００１７】
次に、蓋２の開閉について説明する。蓋２を開くには、図１に示すように、取外し用持上突片部16を上方へ持ち上げて、図１の２点鎖線に示すように、蓋２を傾斜状態で開く。図３に示すように、蓋２は、水平溝８に嵌着片部10を嵌着させて、かつ、アキシャル力受け面14と逃げ阻止面部９とを圧接させた状態で、蓋本体５とシール部材７とが、組立てられている。図３の２点鎖線は、自由状態のシール部材７の形状を示している。
【００１８】
図４に示すように、蓋２を閉じ始めると、シール部材７は、テーパ面４によって圧縮変形する。このとき、シール部材７からテーパ面４に対して拡径方向の弾発力（密着力）が生じるとともに、テーパ面４からシール部材７に対してラジアル方向の反力（ラジアル力）Ｆ1 が生じる。また、逃げ阻止面部９がないと、シール部材７が上方へ逃げてしまうが、逃げ阻止面部９があるので、シール部材７が逃げ阻止面部９にて逃げを阻止され、シール部材７から逃げ阻止面部９に対して弾発力が生じるとともに、逃げ阻止面部９からシール部材７に対してアキシャル方向の反力（アキシャル力）Ｆ2 が生じる。逃げ阻止面部９によってシール部材７が逃げを阻止されるので、シール部材７からテーパ面４への弾発力が大きくなる。（つまり、図４のラジアル力Ｆ1 が十分に大きい。）
【００１９】
さらに蓋２を閉じると、テーパ面４によるシール部材７の圧縮変形量が大きくなるので、シール部材７がテーパ面４を押圧する弾発力が大きくなるとともに、テーパ面４からシール部材７に対してはたらく反力（ラジアル力）Ｆ1 も大きくなる。図４と図５に於て、水平方向寸法Ｄ1 がＤ2 まで減少して、上記シール部材７は（Ｄ1 −Ｄ2 ）分だけ（半径について）圧縮する。このように、テーパ面４によってシール部材７の圧縮変形量が増加して反力Ｆ1 も大きくなる。このとき、シール部材７が逃げ阻止面部９を押圧する弾発力も大きくなるとともに、逃げ阻止面部９からシール部材７に対してはたらくアキシャル力Ｆ2 も大きくなる。そして、図５は、蓋２を完全に閉じた状態（閉蓋状態）を示す。このとき、ラジアル力Ｆ1 、アキシャル力Ｆ2 は最大となり、高い密封力が得られる。
自由状態で断面が水平方向一文字状の（従来から用いられてきた）シール部材と比較すると、従来のシール部材では、 360°全周に均等に弾性変形せず、周方向の一部位が、十分に、弾発的に、容器本体の内面に圧接しない場合があり、密封不十分となることがあったが、本発明では、 360°全周にわたって均等に圧接し、高い密封性を発揮する。
なお、蓋２を容器本体１から離間させた状態（図３参照）で、シール部材７の嵌着片部10と蓋本体５の水平溝８との間に小さな間隙（例えば間隙寸法は自由状態のシール部材７の上下寸法の 1.5％〜 2.5％）が形成されるように設定するも好ましい。
【００２０】
本発明は、設計変更可能であって、例えば、全体形状が平面視円形であるも良い。
【００２１】
以上のように、本発明は、上方開口状容器本体１と、該容器本体１に着脱自在な蓋２とを備える密封容器であって、上記容器本体１が、開口部内面３に上方拡大状テーパ面４を有し、上記蓋２が、蓋本体５と、蓋本体５の外周縁部６に取着される環状シール部材７とを、備え、上記蓋本体５が、外周縁部６に形成された環状水平溝８と、該水平溝８よりもラジアル外方の上部に設けられた水平面状逃げ阻止面部９とを有し、かつ、上記シール部材７が、上記水平溝８に嵌着される水平状嵌着片部10と、該嵌着片部10に連設されたラジアル外方上傾状のシール舌片部11とを有し、さらに、上記シール舌片部11が、閉蓋状態で上記テーパ面４と圧接するラジアル力受け面13と、上記嵌着された状態で上記逃げ阻止面部９と常時圧接するアキシャル力受け面14を、先端15に有するので、形状、構造がシンプルであって、部品点数が少なく、洗浄も簡単にでき、かつ、容易かつ安価に製造することができる。特に、 360°全周にわたって均等にテーパ面４に圧接して、全体の密封性が確保される。また、開閉操作を容易かつ迅速に行うことができる。さらに、密封性が良好である。
【００２２】
また、上記蓋本体５が、上記蓋２を傾斜状態で開くための取外し用持上突片部16を、外周縁部６の一部に有するので、強力な密封力がはたらいている場合でも、テーパ面４とシール部材７との密封を解除して、容易に蓋２を傾斜状態で開くことができる。また、取外し用持上突片部16を外周縁部６の一部に設けることで、蓋２を傾斜状態として開くことを使用者に示唆することもできる。
また、上記テーパ面４の勾配角度θを、 0.1°〜６°に設定したので、容易に蓋２を閉めることができるとともに、高い密封力を得ることができる。
【符号の説明】
【００２３】
１  容器本体
２  蓋
３  開口部内面
４  テーパ面
５  蓋本体
６  外周縁部
７  シール部材
８  水平溝
９  逃げ阻止面部
10  嵌着片部
11  シール舌片部
13  ラジアル力受け面
14  アキシャル力受け面
15  先端
16  取外し用持上突片部
θ  勾配角度